(57)【要約】【課題】ボトルに内容物が収納されて、密封されていて、密封した状態では取り付けられたＩＣタグが通信を行わず、開封することにより取り付けられたＩＣタグが通信を開始する包装体を提供する。【解決手段】ボトル１と、ボトルに充填された内容物２と、ボトルの開口部１１にシールされたアルミニウム箔構成のインナーシール３と、インナーシールを覆い、ボトルの口部１２に着脱可能に装着されるキャップ４とからなる包装体１００であって、キャップの内側にＩＣタグ６が取り付けられ、ＩＣタグがインナーシールに接触あるいは近接している。【選択図】図１
2015103067.tif 000002
【特許請求の範囲】
【請求項１】
ボトルと、該ボトルに充填された内容物と、前記ボトルの開口部にシールされたアルミニウム箔構成のインナーシールと、該インナーシールを覆い、前記ボトルの口部に着脱可能に装着されるキャップとからなる包装体であって、
該キャップの内側にＩＣタグが取り付けられ、該ＩＣタグが前記インナーシールに接触あるいは近接していることを特徴とする包装体。
【発明の詳細な説明】
【技術分野】
【０００１】
本発明は、包装体に関するものである。特に、ＩＣタグを備え、開封したことを検知できるようにした包装体に関するものである。
【背景技術】
【０００２】
近年、ＩＣチップの集積回路化により小型化が進み、ＩＣチップとアンテナを組み合わせ小片としたＩＣタグが商品に取り付けられるようになった。そしてＩＣタグにより、その商品の管理や、あるいは偽造防止、いたずら防止などに利用されるようになってきた。また、工場においてもトレーサビリティの観点から、製品や中間製品、それに用いる部品、原材料の履歴を確認するのに用いられるようになり始めた。
【０００３】
例えば、いたずら防止としては、包装体が開封されるとＩＣタグのアンテナが切断されるように、商品に取り付けられているものがある（特許文献１）。
【０００４】
この場合、梱包された状態で運送され、もし運搬の途中で不正に開梱されてしまったとき、開梱によりアンテナが切断され、通信不能となったり、通信距離が半分以下になったりするので、運送後に開梱されたことを確認できる。
【０００５】
一方、未開封の商品などが、開封された場所や時間を記録することが必要な場合がある。例えば、酸化により性能が大きく影響される物品では、開封され大気中に晒されて酸化が開始された後の酸化が進んだ時間を管理する必要がある。また、放射線などの人体に悪影響を与える物品の開封された時間なども管理する必要がある。
【０００６】
特に工場などで製品を製造する上で、原材料の使用を管理する場合、未開封の原材料の包装体ではＩＣチップが通信を開始せず、原材料の包装体を開封したときからの時間や開封した場所を管理するために、開封した時からＩＣチップが通信を開始することが求められる。
【０００７】
一方、別の周波数帯を通信可能な少なくとも２つのアンテナを有するＲＦＩＤタグを備え、アンテナの１つが容器の開封とともに通信不能に切断され、開梱されたことが確認できる構成とした包装容器がある（特許文献２）。
【０００８】
そして、切断されずに残されたアンテナで商品管理ができることから、上記の要求を満たせる可能性はある。しかし、このＲＦＩＤタグの場合、アンテナを２つ設ける必要があり、また、開封することによって一方が通信不能になるが、他方は通信が不能にならない必要があるなど、構造が複雑で、サイズも大きくなり、コスト的にも使用が限定される。
【０００９】
公知文献を以下に示す。
【先行技術文献】
【特許文献】
【００１０】
【特許文献１】特開２００９−１０４２６２号公報
【特許文献２】特許第４５１０１３３号公報
【発明の概要】
【発明が解決しようとする課題】
【００１１】
本発明は上記のような事情に鑑みてなされたもので、ボトルに内容物が収納されて、密
封されていて、密封した状態では取り付けられたＩＣタグが通信を行わず、開封することにより取り付けられたＩＣタグが通信を開始する包装体を提供することを課題としている。
【課題を解決するための手段】
【００１２】
本発明は係る課題に鑑みなされたものであり、請求項１の発明は、ボトルと、該ボトルに充填された内容物と、前記ボトルの開口部にシールされたアルミニウム箔構成のインナーシールと、該インナーシールを覆い、前記ボトルの口部に着脱可能に装着されるキャップとからなる包装体であって、
該キャップの内側にＩＣタグが取り付けられ、該ＩＣタグが前記インナーシールに接触あるいは近接していることを特徴とする包装体である。
【発明の効果】
【００１３】
本発明の包装体は、ボトルに内容物が収納されて密封されていて、密封した状態では取り付けられたＩＣタグが通信を行わず、開封することにより取り付けられたＩＣタグが通信を開始する。これにより開封時刻や開封後の経過時間を知ることができる。
【図面の簡単な説明】
【００１４】
【図１】本発明の包装体の一例を模式的に断面で示した説明図である。
【図２】本発明の包装体の一例に用いるインナーシールを模式的に断面で示した説明図である。
【図３】本発明の包装体の一例に用いるＩＣタグ付のライナーを模式的に断面で示した説明図である。
【図４】本発明の包装体の一例で開封しキャップを外した状態の上端部分を模式的に断面で示した説明図である。
【図５】本発明の包装体の一例で開封しインナーシールを剥がした状態の上端部分を模式的に断面で示した説明図である。
【図６】本発明の包装体の一例で開封後再封した状態の上端部分を模式的に断面で示した説明図である。
【発明を実施するための形態】
【００１５】
以下、本発明を実施するための形態につき説明する。
図１は、本発明の包装体の一例を模式的に断面で示した説明図である。
図２は、本発明の包装体の一例に用いるインナーシールを模式的に断面で示した説明図である。
図３は、本発明の包装体の一例に用いるＩＣタグ付のライナーを模式的に断面で示した説明図である。
【００１６】
本例の包装体１００は、図１の断面図に示すように、ボトル１の中に内容物２が充填されている。そしてボトル１の開口部１１にインナーシール３がシールされ取り付けられている。そしてボトル１の口部１２の外周面には雄螺子１３が形成されている。
【００１７】
キャップ４は天面板４１と天面板４１の周縁から垂下した筒状周壁部４２とからなっている。筒状周壁部４２の内周面には雌螺子４３が形成され、ボトル１にその雄螺子１３と螺合して着脱可能に装着されている。
【００１８】
キャップ４の天面板４１の内側にはライナー５が嵌め込まれている。ライナー５は、キャップ４の筒状周壁部４２の内周面で雌螺子４３より上に設けられた環状突起４４により押さえられ、外れないようになっている。
【００１９】
インナーシール３は、図２のように、アルミニウム箔構成で、アルミニウム箔３１の内面にシール材が塗布されてシール層３２が設けられていて、ボトル１の開口部１１に熱シールされている。また、アルミニウム箔３１の外面には、アルミニウムの酸化を防止するために保護ワニスが塗布され、保護層３３が設けられている。
【００２０】
ライナー５は、図３のように、クッション性のある芯材５１を上側フィルム５２と下側フィルム５３で挟まれた層構成になっていて、芯材５１に設けた穴５４にＩＣタグ６が収納され、下側フィルム５３に接着している。
【００２１】
クッション性のある芯材５１としては、発泡樹脂シートが好ましく用いられ、その樹脂としては、ポリプロピレンや、ポリエチレンなどが好ましく用いられる。また、上側フィルム５２と下側フィルム５３には、芯材５１と同系の樹脂フィルムを用いて熱融着により、積層しても良いし、また、樹脂フィルムを接着剤により接着しても良い。
【００２２】
未開封の包装体１００では、キャップ４がボトル１に螺合して、着脱可能に装着されていて、インナーシール３にライナー５が密着している。このため、ライナー５の下側フィルム５３に接着しているＩＣタグ６は、インナーシール３のアルミニウム箔３１に近接している。
【００２３】
ＩＣタグ６は、詳細を図示しないが、一般的なものであり、ベース基材上に１つのアンテナと１つのＩＣチップが電気的に接続されて設けられたインレットを有している。そして、リーダライタから発射される電波を受信し、微量な電力を発生させ、その電力で情報処理を行い、その情報処理結果により変調した電波を送信するものである。
【００２４】
ＩＣタグの使用する周波数帯は、ＬＦ、ＨＦ、ＵＨＦなど全周波数帯が、包装体の使用される用途によって使い分けられる。そして、リーダライタはこの電波を読み取ってＩＣタグ６の情報を得る。
【００２５】
前記のように、ＩＣタグ６が、インナーシール３のアルミニウム箔３１に接触あるいは近接していると、リーダライタからの電波の受信性能が著しく低下し、電力が発生せずＩＣチップの情報処理が行われない。
【００２６】
図４は、本発明の包装体の一例で開封しキャップを外した状態の上端部分を模式的に断面で示した説明図である。
図５は、本発明の包装体の一例で開封しインナーシールを剥がした状態の上端部分を模式的に断面で示した説明図である。
図６は、本発明の包装体の一例で開封後再封した状態の上端部分を模式的に断面で示した説明図である。
【００２７】
図４のように、キャップ４を外すと、ボトル１の開口部１１にシールにより取り付けられたアルミニウム箔３１構成のインナーシール３と、キャップ４の内側に嵌め込まれたライナー５のＩＣタグ６とが離れる。
【００２８】
アルミニウム箔３１構成のインナーシール３からＩＣタグ６が離れると、ＩＣタグ６は、リーダライタから発射される電波を受信することができるようになり、情報処理を行い、電波を送信することができる。リーダライタは、この発信された電波を読み取り、ＩＣタグ６の情報を得ることができる。
【００２９】
内容物を使用するために、図５のように、ボトルの開口部よりインナーシールを剥がして取り除き、使用後、図６のように、キャップをボトルに螺合させて装着させても、イン
ナーシールは取り除かれているので、ＩＣタグ６は、リーダライタから発射される電波を受信することができ、情報処理を行い、電波を送信することができる。
【００３０】
このようにして、ボトルからキャップを外して、開封した後は、常にリーダライタとの交信が行われ、開封時刻や開封後の経過時間を知ることができる。
【００３１】
包装体１００の使い方としては、工場で製品を製造する上で、原材料などの包装体として用いることが出来る。工場に納入された包装体１００を必要に応じて、開封して原材料を使用する。
【００３２】
この開封によって、包装体１００のＩＣタグ６は、リーダライタからの電波を受信できるようになる。そして、ＩＣタグ６は、受信した電波により電力が発生して、情報処理が行われ、その結果を電波に乗せ送信する。その電波をリーダライタが受信する。
【００３３】
これにより、リーダライタ側の管理コンピュータの持つ日時の情報から開封した日時が特定される。また、複数のリーダライタが、ＩＣタグ３３からの送信を受けたり、受けなかったりすることから、そのＩＣタグ６の存在位置の範囲を特定することができる。
【００３４】
これらの情報は、リーダライタと有線であるいは無線で接続された管理コンピュータに保存される。また、これらの情報を、包装体１００のＩＣタグ６のＩＣチップに保存しても良い。ＩＣチップ１３に保存すれば管理コンピュータに接続されていないリーダライタでもこの情報を読み取ることができる。
【００３５】
以上のように、本発明の包装体は、開封した時からＩＣタグが通信を開始するので、この通信開始をリーダライタで受信し、開封時刻や開封後の経過時間、あるいは、開封された場所を知ることができる。そして、これにより収納されていた、酸化により性能が大きく影響される物品や、人体に悪影響を与える物品などが開封後に影響を与えた時間や場所を知ることができ、管理することができる。
【符号の説明】
【００３６】
１００・・・包装体
１・・・ボトル
１１・・・開口部
１２・・・口部
１３・・・雄螺子
２・・・内容物
３・・・インナーシール
３１・・・アルミニウム箔
３２・・・シール層
３３・・・保護層
４・・・キャップ
４１・・・天面板
４２・・・筒状周壁部
４３・・・雌螺子
４４・・・環状突起
５・・・ライナー
５１・・・芯材
５２・・・上側フィルム
５３・・・下側フィルム
５４・・・穴
６・・・ＩＣタグ
【図１】
2015103067.tif 000003
【図２】
2015103067.tif 000004
【図３】
2015103067.tif 000005
【図４】
2015103067.tif 000006
【図５】
2015103067.tif 000007
【図６】
2015103067.tif 000008